(57)【特許請求の範囲】
【請求項１】
種々の撮像条件を設定可能な電子的撮像装置本体に着脱自在に取り付けられるマニュアル設定アダプタであって、
前記電子的撮像装置本体からのみでは設定不可能な撮像条件含む撮影条件をマニュアル設定できるマニュアル設定インタフェースを備え、
前記マニュアル設定インタフェースは、前記電子的撮像装置の表示画面に対応する位置に設けられている
ことを特徴とするマニュアル設定アダプタ。
【請求項２】
請求項１記載のマニュアル設定アダプタにおいて、
前記マニュアル設定インタフェースは、画質、絞り値、シャッタスピード、感度の設定部を有し、
各設定部は、前記電子的撮像装置の表示画面上の画質、絞り値、シャッタスピード、感度、ホワイトバランスのうち少なくとも一つの設定値の各表示位置に対応する位置に設けられている
ことを特徴とするマニュアル設定アダプタ。
【請求項３】
種々の撮像条件を設定可能な電子的撮像装置本体に着脱自在に取り付けられるマニュアル設定アダプタであって、
前記電子的撮像装置本体からのみでは設定不可能な撮像条件含む撮影条件をマニュアル設定できるマニュアル設定インタフェースを備え、
前記マニュアル設定インタフェースを通じて設定された設定値を記憶する不揮発性記憶部を有する
ことを特徴とするマニュアル設定アダプタ。
【請求項４】
種々の撮像条件を設定可能な電子的撮像装置本体に着脱自在に取り付けられるマニュアル設定アダプタであって、
前記電子的撮像装置本体からのみでは設定不可能な撮像条件含む撮影条件をマニュアル設定できるマニュアル設定インタフェースを備え、
前記マニュアル設定インタフェースは、前記電子的撮像装置本体によって撮像された画像の圧縮率を設定可能なマニュアル設定インタフェースを含む
ことを特徴とするマニュアル設定アダプタ。
【請求項５】
請求項４記載のマニュアル設定アダプタにおいて、
前記圧縮率を設定可能なマニュアル設定インタフェースは、本体で設定可能な圧縮率よりも低い圧縮率を設定可能である
ことを特徴とするマニュアル設定用アダプタ。
【請求項６】
請求項５記載のマニュアル設定アダプタにおいて、
電子的撮像装置本体で撮像した画像を増設記憶媒体に記録するための増設記憶媒体用インタフェースを備える
ことを特徴とするマニュアル設定アダプタ。
【請求項７】
種々の撮像条件をマニュアル設定可能なマニュアル入力インタフェースを有するマニュアル設定アダプタが取り付けられる電子的撮像装置であって、
マニュアル設定アダプタが取り付けられているかを判断する判断部と、
この判断部によってマニュアル設定アダプタが取り付けられていると判断されたことに基づいて設定できる撮影条件を変更する設定可能条件設定部とを有する
ことを特徴とする電子的撮像装置。
【請求項８】
請求項７記載の電子的撮像装置において、
前記マニュアル設定アダプタは、このマニュアル設定アダプタを通じて設定した撮影条件を記憶する不揮発性記憶媒体を有し、
この電子的撮像装置は、前記判断部によってマニュアル設定アダプタが取り付けられていると判断されたことに基づいて、前記不揮発性媒体から前記撮影条件を呼び出して設定する制御部を有する
ことを特徴とする電子的撮像装置。
【請求項９】
請求項７記載の電子的撮像装置において、
前記マニュアル設定アダプタは、このマニュアル設定アダプタを通じて設定した撮影条件を記憶する不揮発性記憶媒体を有し、
この電子的撮像装置は、前記マニュアル設定アダプタ接続中に設定された撮影条件を前記不揮発性記憶媒体に記憶する制御部を有する
ことを特徴とする電子的撮像装置。
【発明の詳細な説明】
【０００１】
【発明の属する技術分野】
本発明は電子的撮像装置本体に装着可能なマニュアル設定アダプタ及びそのマニュアル設定アダプタを装着可能な電子的撮像装置に関するものである。
【０００２】
【従来の技術】
近年、デジタル制御によって高機能化された撮像装置が普及している。
デジタルカメラと称されるこの電子的撮像装置は、制御手段としてのＣＰＵ、液晶ディスプレイを中心とした設定インタフェース等を設けることにより、撮影機能の高度化や多様化が容易にできるようになっている。
【０００３】
これらのデジタルカメラは、通常、撮影のために設定しなければならないピント、絞り、シャッタ速度、ホワイトバランス、画質、ＩＳＯ感度等の撮影条件をすべてプログラム自動制御（プログラムオートモード）によって設定できるようになっており、多機能、高機能であるにもかかわらず初心者にとっても大変使いやすくなっている。
【０００４】
一方、撮影条件のマニュアル設定が可能なデジタルカメラもある。このようなデジタルカメラにおいて、プログラム自動制御以外の操作例としてシャッタ速度優先で撮影を行う場合のシャッタ速度の決定手順を述べると、まずメニュー選択をし、表示手段に表示されたプログラム、絞り優先、シャッタ速度優先、マニュアルの少なくとも四つのモード中からシャッタ速度優先を選択する。次に例えば、１／８０００秒から１秒までのシャッタ速度群の中からシャッタ速度を選択するという手順となる。
【０００５】
デジタルカメラは、前述したように多機能であり、設定の裕度も大きい。例えば、シャッタ速度等は、従来の銀塩カメラと比較すると非常に細かく設定可能である。このため、デジタルカメラの場合においてマニュアル設定を行なう場合、従来の銀塩カメラよりも操作が増えることになる。
【０００６】
【発明が解決しようとする課題】
ところで、デジタルカメラの使用者層を見てみると、日常での気軽な撮影を望む一般使用者、一般使用者の中でも特殊な撮影方法で高度な撮影をする人々、専門的な使用や極めて酷使するプロフェッショナルと大まかに分類できる。
【０００７】
気軽な撮影を好む使用者にとってプログラム自動制御での撮影は難しい選択を必要とせず大変便利な機能であり、この層の人々にとって多くの機能はかえって煩わしいものとなる。
【０００８】
また、一般使用者の中でも特殊な撮影や高度な撮影をする人々、プロフェッショナルの人々にとっては、特殊な機能やチャンスを逃さないように敏速に対応するためにマニュアル設定機能等が必要である。これらの層の人々にとっては、プログラム自動制御のみのものや、特殊機能、モード設定等に手間のかかるものは不向きである。
【０００９】
このような状況を鑑みれば、使用者層や用途毎に機能の異なる製品を製造することが望ましいが、コスト的に不可能である。
この発明は、このような事情に鑑みてなされたもので、コスト的に問題の少ない方法で、用途をはっきり分けた使用のできる電子的撮像装置（デジタルカメラ）を実現することを目的とするものである。
【００１０】
【課題を解決するための手段】
この発明の第１の特徴は、種々の撮像条件を設定可能な電子的撮像装置本体に着脱自在に取り付けられるマニュアル設定アダプタであって、前記電子的撮像装置本体からのみでは設定不可能な撮像条件含む撮影条件をマニュアル設定できるマニュアル設定インタフェースを備え、前記マニュアル設定インタフェースは、前記電子的撮像装置の表示画面に対応する位置に設けられていることを特徴とするマニュアル設定アダプタである。
この発明の第２の特徴は、種々の撮像条件を設定可能な電子的撮像装置本体に着脱自在に取り付けられるマニュアル設定アダプタであって、前記電子的撮像装置本体からのみでは設定不可能な撮像条件含む撮影条件をマニュアル設定できるマニュアル設定インタフェースを備え、前記マニュアル設定インタフェースを通じて設定された設定値を記憶する不揮発性記憶部を有することを特徴とするマニュアル設定アダプタである。
この発明の第３の特徴は、種々の撮像条件を設定可能な電子的撮像装置本体に着脱自在に取り付けられるマニュアル設定アダプタであって、前記電子的撮像装置本体からのみでは設定不可能な撮像条件含む撮影条件をマニュアル設定できるマニュアル設定インタフェースを備え、前記マニュアル設定インタフェースは、前記電子的撮像装置本体によって撮像された画像の圧縮率を設定可能なマニュアル設定インタフェースを含むことを特徴とするである。
この発明の第４の特徴は、種々の撮像条件をマニュアル設定可能なマニュアル入力インタフェースを有するマニュアル設定アダプタが取り付けられる電子的撮像装置であって、マニュアル設定アダプタが取り付けられているかを判断する判断部と、この判断部によってマニュアル設定アダプタが取り付けられていると判断されたことに基づいて設定できる撮影条件を変更する設定可能条件設定部とを有することを特徴とする電子的撮像装置である。
【００２０】
【発明の実施の形態】
以下、本発明の一実施形態を図面を参照して説明する。
図１（ａ）、（ｂ）は、電子的撮像装置１（以下「デジタルカメラ」という）に、マニュアル設定アダプタ２０を取り付けた状態を示す外観図である。すなわち、図１（ａ）は右斜め後方の上面側から見た斜視図、図１（ｂ）は左側方から見た正面図である。
（デジタルカメラの外観）
先ず、デジタルカメラ１の外観について説明する。
【００２１】
図中、符号２で示すのはこのデジタルカメラ１の本体２（カメラ本体）である。このカメラ本体２には、前面左側に撮影レンズ等の結像光学系を内蔵する突出部３が設けられ、後面左側にはファインダ４、右側面部には使用者がカメラ本体２を把持するためのグリップ部５が設けられている。
【００２２】
グリップ部５には、カメラ本体２の後面右側に凹部６が設けられ、この凹部６は撮影者が右手で握持した場合の持ち易さを考慮して右手親指付け根部に適合した形状となっている。すなわち、撮影者は凹部６に右手親指付け根部を添わせてグリップ部５を把持することにより、安定した状態でカメラ本体２を支持することができる。さらに左手でカメラ本体２の左側を下側より支持することによって、安定性を向上させることができる。
【００２３】
また、ファインダ４の下方に位置するカメラ本体２の後面には例えばＴＦＴ−ＬＣＤ等の液晶モニタからなる表示部７が設けられている。撮影者は、前記ファインダ４を通してだけでなく、この表示部７を通しても被写体像を視認することができるようになっている。
【００２４】
また、カメラ本体２の後面中央部にはメニュー表示を行うためのメニューキー８と、十字キー９と、確定キー１０とが設置されている。これらのキー８〜１０は撮影者がグリップ部５を右手で把持したままでも右手親指で操作できる位置に設けられている。
【００２５】
ここで、十字キー９にはメニュー表示中の表示項目の選択を、確定キーにはメニュー表示中の表示項目の確定、実行を行う機能が割り付けられている。
後で詳しく説明するように、前記マニュアル設定アダプタ２０を取り付けた場合、撮影者はメニューキー８でマニュアル設定モードを選択することができ、十字キー９の左右キーで絞り値、シャッタ速度、ホワイトバランス、画質、ＩＳＯ感度等の各種マニュアル設定項目の選択をし、上下キーで設定を行なうことができる。そして、これらのキー８、９による選択・設定を確定キー１０により確定できるようになっている。
【００２６】
また、カメラ本体２の前面右側上部には、シャッタボタン１２及びズームボタン１３が、ともに撮影者がグリップ部５を右手で把持したままでも右手人差し指で操作可能な位置に設定されている。さらに、カメラ本体２の図示右側面部下方にはメモリーカード挿入部１４があり、カバー部１５を閉じることによりメモリーカードの外部離脱及び塵埃の侵入等を防ぐことができるようになっている。
【００２７】
カメラ本体２の上面部には電池残量等のコントロール情報を表示できるコントロールパネル１６と各種スイッチ１７が設置されていると共に、図１（ｂ）に示すように、カメラ本体２の左側面にはパワースイッチ１８が設けられている。
（マニュアル設定アダプタの外観）
次に、マニュアル設定アダプタ２０の外観について説明する。
【００２８】
図１（ａ）中２０ａで示すのは、マニュアル設定アダプタ２０の本体２０ａ（アダプタ本体）である。このアダプタ本体２０ａは、カメラ本体２の下面に固定ネジ２４（図１（ｂ）に示す）を用いて定位置に固定されるようになっている。
【００２９】
固定ネジ２４を取り付けるためのネジ孔は、三脚固定用のネジ孔であっても良いし、別に設けた専用の固定ネジ孔であっても良い。また、前者の場合、このマニュアル設定アダプタ２０を取り付けた状態であっても三脚に固定することが可能となるように構成されていることが好ましい。
【００３０】
図１（ａ）に２１ａ〜２１ｅで示すのは、各種設定項目のマニュアル設定用ダイアルキーである。これらのダイアルキー２１ａ〜２１ｅは前記アダプタ本体２０ａからカメラ本体２の後面側に延出されてなる舌片部２０ｂに設けられており、マニュアル設定アダプタ２０をカメラ本体２に取り付けた状態で、図４（ｃ）に示すように、前記表示部７の直下に位置するように構成されている。
【００３１】
図４（ｃ）に示すように前記表示部７下部の、前記各ダイアルキー２１ａ〜２１ｅに対応する位置には、それぞれのダイアルキー２１ａ〜２１ｅによって設定・変更された設定値が表示されるようになっている。ここで、ダイアルキー２１ａ〜２１ｅに割り当てられる設定項目は固定ではなく、設定モードに応じて変更されるようになっているが、ダイアルキー２１ａ〜２１ｅに対応する設定値が各ダイアルキー２１ａ〜２１ｅの直上に表示されるようになっているから、撮影者は間違うことなく各種マニュアル設定を行なうことができる。
【００３２】
また、図１（ａ）に示すようにアダプタ本体２０ａには、増設メモリカードの挿入部２２が設けられており、必要に応じて記憶容量の増大が図れるようになっている。また、アダプタ本体２０ａの図示右側面部下方には電池挿入部２３が設けられており、マニュアル設定アダプタ２０やカメラ本体２に対する増設電源を設置することができるようになっている。
【００３３】
また、マニュアル設定アダプタ２０をデジタルカメラ１に対して定位置に取り付けた場合には、図１（ｂ）に示すように、デジタルカメラ１の下面に設けられたカメラ側端子２５ａとアダプタ本体の上面に設けられたアダプタ側端子２５ｂが電気的機械的に接続されるようになっている。これにより、アダプタ２０とカメラ１との間で情報の交換若しくは給電が行なわれる。
【００３４】
（デジタルカメラの回路ブロック図）
図２はマニュアル設定アダプタ２０を接続したデジタルカメラ１の回路構成を表わしたブロック図である。一点鎖線の中はマニュアル設定アダプタ２０の回路構成であり、それ以外はカメラ本体２の回路構成である。このブロック図を参照して、本発明の一実施形態における制御系統を説明する。
【００３５】
図中２５は、前記カメラ本体２の突出部３内に設けられた撮像レンズ系である。この撮像レンズ系２５には、図示しない絞り機構及びピント調節機構が設けられており、これらは絞り・ピント制御部２６によって制御されるようになっている。また、前記撮像レンズ２５を経て得た被写体像はＣＣＤ２７（撮像素子）上に結像される。
【００３６】
このＣＣＤ２７は被写体像の光強度を光電変換し、画像データとして撮像回路２８に供給する。この撮像回路２８はＣＣＤ２７からの映像データを、ガンマ補正処理、色分離処理、ホワイトバランス処理等を行って所定の色空間の映像信号に変換し、ＡＥ（自動露出）・ＡＦ（自動フォーカス）・ＡＷＢ（自動ホワイトバランス）評価値生成部２９及び表示回路３１に送出する。
【００３７】
このＡＥ、ＡＦ、ＡＷＢ評価値生成部２９は、ＣＣＤ２７からの出力データに基づいて被写体像の輝度、焦点距離、ホワイトバランス等の評価を、適正値からのずれ量として得る。ここで、適正値とは、ＡＥ，ＡＦ，ＡＷＢの各モードの下で設定すべき値である。なお、ＡＥとはＡｕｔｏｍａｔｉｃ  Ｅｘｐｏｓｕｒｅの略であり、被写体輝度を測光し露出を自動制御する露出機構を意味する。ＡＦとはＡｕｔｏｍａｔｉｃ  Ｆｏｃｕｓの略であり、電気的手段により焦点調節を自動的に制御する機構を意味する。ＡＷＢとはＡｕｔｏｍａｔｉｃ  ＷｈｉｔｅＢａｌａｎｃｅの略であり、自動的に感度を変更し、ホワイトバランスの調節を行う機構を意味する。
【００３８】
この評価値生成部２９による評価値は、コントローラ（ＣＰＵ）３０に入力される。撮影モードがオートに設定されている場合、このコントローラ３０は、前記評価値に基づいて、絞り・ビント制御部２６に指令を発し、前記撮像レンズをフォーカス方向に動かして適正ピントを得る。また、このコントローラ３０は、前記評価値に基づいて、適正露出が得られるような絞り、シャッタ速度、ＩＳＯ感度を演算し、撮像回路２８を制御する。
【００３９】
上記したように処理された画像データは、前記撮像回路２８から表示回路３１に出力され、動画像として直接表示部７に再現される。また、前記シャッタ１２が押されたことに基づき、記録回路３２が作動し、前記撮像回路２８からの画像データを静止画データとしてカード書き込み読み出し制御部３３に送り、静止画データをメモリカードに書き込む。
【００４０】
一方、前記コントローラ３０には、マニュアル設定アダプタが取り付けられているかを判別するマニュアル設定アダプタ接続判断部３６と、この接続判断部３６の判断に応じて、デジタルカメラ１におけるマニュアル設定可能項目を切換制御する設定可能目制御部５０と、マニュアル設定アダプタ２０を通して設定された設定情報をマニュアル設定アダプタ２０に送信し、受信する設定情報送受信部５１と、マニュアル設定アダプタ２０自体を制御するマニュアル設定アダプタ制御部５２が設けられている。
【００４１】
後で詳しく説明するが、設定可能項目制御部５０、前記接続判断部３６によってマニュアル設定アダプタ２０が接続されていると判断されると、カメラ単体では設定不可能であった撮影条件の設定を設定可能とするようにコントローラ３０によるマニュアル設定可能項目を拡張する機能を有する。
【００４２】
たとえばカメラ本体のみでは露出、絞り、シャッタ速度、ホワイトバランスについてマニュアル設定できない場合、前記判断部３６の判断に基づいてこれらの設定を使用可能に切換える。
【００４３】
また、前記マニュアル設定情報送受信部５１は、マニュアル設定アダプタ２０を通じて設定したマニュアル設定情報をマニュアルアダプタ２０側に送信すると共に、マニュアルアダプタ２０側に記憶されている設定情報を呼び出してカメラ１本体の設定に適用する。また、アダプタ２０からの設定のための入力を受け付ける機能を有する。
（マニュアル設定アダプタの回路構成）
次に、マニュアル設定アダプタ２０の回路構成を説明する。
【００４４】
この実施形態においては、各ダイアルキー２１ａ〜ｅには、それぞれＡＶ（露出）、ＴＶ（ＩＳＯ感度）、ＷＢ（ホワイトバランス）、Ｑ（画質）、ＳＶ（シャッタ速度）の設定が割り付けられている。
【００４５】
各種ダイアルキー２１ａ〜ｅはスイッチ情報入力回路３７に接続されていて、このスイッチ情報入力回路３７は、ダイアルキー２１ａ〜２１ｅからの入力値をビット列に変換して前記デジタルカメラ１側のシリアルインタフェース５５に接続されたアダプタ２０側のシリアルインタフェース３８に出力する。
【００４６】
また、このアダプタ側シリアルインターフェース３８には、メモリカード書き込み／読み出し装置３９、ＥＥＰＲＯＭ４０が接続されている。メモリカード書き込み／読み出し装置３９は、デジタルカメラ１側から前記シリアルインターフェース５５を通して送られてきた画像データを増設メモリカードに記憶、または、この増設メモリカードに記憶された画像データを読み出してデジタルカメラ側１に送信する機能を有する。
【００４７】
また、ＥＥＰＲＯＭ４０は、このマニュアル設定アダプタ２０を通して設定された最新のマニュアル設定値（絞り、シャッタ速度、ホワイトバランス、画質、ＩＳＯ感度値）をデジタルカメラ１から受け取って記憶する機能を有する。このＥＥＰＲＯＭ４０は、不揮発性の記憶媒体であり、このマニュアル設定アダプタ２０をデジタルカメラ１から取り外した場合であっても、取り外す直前のマニュアル設定情報を記憶している。この機能により、後で説明するように、撮影者は、マニュアル設定アダプタ２０を取り付けた後、直ぐに前回の設定と同じ設定での撮影を開始することができる。
【００４８】
一方、このアダプタ２０には電源回路４２が設けられており、この電源回路４２は端子２５ａ、２５ｂを介してデジタルカメラ１側の電源回路４１に接続されてデジタルカメラ１への増設電源として機能をするようになっている。
（マニュアル設定動作）
次に、デジタルカメラ１にマニュアル設定アダプタ２０を取り付けて撮影を行なう場合の動作について、前記デジタルカメラ１のコントローラ３０に設けられたマニュアル設定アダプタ接続判断部３６、設定可能項目制御部５０、設定情報送受信部５１及びマニュアル設定アダプタ制御部５２の機能と共に説明する。
（初期動作）
まず、図３に示すフローチャートを参照しながら、電源を入れたことに基づいてコントローラ３０が行う初期設定の動作手順を説明する。
【００４９】
まず撮影者が電子的撮像装置１の電源を入れたことに基づいて（ステップＳ１）、コントローラ３０は設定項目を初期化する（ステップＳ２）。この際、例えば表示部７には図４（ａ）に示すような画面が表示される。次に、前記マニュアル設定アダプタ接続判断部３６はデジタルカメラ１にマニュアル設定アダプタ２０が接続されているかを判断する（ステップＳ３）。この判断部３６によってマニュアル設定アダプタ２０が接続されていないと判断された場合、前記設定項目制御部５０は前記表示部７に図４（ｂ）に示す情報を表示する（ステップＳ４）。この表示部７上の表示において、上段は設定項目、下段は設定値を示している。これらは、図３のステップＳ４の右欄及び左欄に対応している。
【００５０】
ここで、「Ｑ」は「画質」を意味し、マニュアル設定アダプタ２０が接続されていない場合、ＨＱ（Ｈｉｇｈ  Ｑｕａ１ｉｔｙ）、ＳＱ（Ｓｔａｎｄａｒｄ  Ｑｕａ１ｉｔｙ）の２つの設定が選択可能である。なおＨＱは映像データの圧縮率が１／４であることを意味し、ＳＱは映像データの圧縮率が１／８であることを意味する。
【００５１】
また、「ＴＶ」はシャッタ速度、「ＡＶ」は絞り（Ｆ値）、「ＳＶ」はＩＳＯ感度、「ＷＢ」はホワイトバランスをそれぞれ意味する。マニュアル設定アダプタ２０が接続されていない場合には、いずれもＡＵＴＯのみ設定可能である。
【００５２】
一方、前記判断部３６により、マニュアル設定アダプタ２０が接続されていると判断された場合（ステップＳ３）には、前記表示項目制御部５０は、前記Ｑ、ＴＶ、ＡＶ、ＳＶ、ＷＢ、Ｑの設定可能範囲を拡張すると共に、前記送受信部５１を通じてマニュアル設定アダプタ２０のＥＥＰＲＯＭ４０にアクセスして、このＥＥＰＲＯＭ４０にマニュアル設定データが記憶されている場合には、この設定データを呼び出して取得する。
【００５３】
マニュアル設定アダプタ２０を装着した場合には、カメラ本体２のみ場合（前述）と比較し、前記表示項目設定部は、以下のようにマニュアル設定範囲を拡張する。
【００５４】
先ず、画質「Ｑ」については、図７（ａ）に示すように、ＵＨＱ（Ｕ１ｔｒａＨｉｇｈ  Ｑｕａ１ｉｙ）、ＨＱ（Ｈｉｇｈ  Ｑｕａ１ｉｔｙ）、ＳＱ（Ｓｔａｎｄａｒｄ  Ｑｕａ１ｉｔｙ）の３段階を選択可能にする。ここで、ＵＨＱは映像データの圧縮率が１／１のものであり、ＨＱは１／４，ＳＱは１／８である。
【００５５】
次に、シャッタ速度「ＴＶ」については、図７（ｂ）に示すように、ＡＵＴＯ，１／４０００、１／２０００、１／１０００、１／５００、１／１２５、１／６０、１／３０の設定が可能となる。
【００５６】
露出「ＡＶ」については、図７（ｃ）に示すように、ＡＵＴＯ、Ｆ２．０、Ｆ２．８、Ｆ４．０、Ｆ５．６、Ｆ８．０、の選択が可能となる。
ＩＳＯ感度「ＳＶ」については、図７（ｄ）に示すように、ＡＵＴＯ、ＩＳＯ５０、ＩＳＯ１００、ＩＳＯ２００、ＩＳＯ４００選択が可能となる。
【００５７】
ホワイトバランス「ＷＢ」については、図７（ｅ）に示すように、ＡＵＴＯ、ＳＵＮ、ＬＡＭＰ，ＦＬの選択が可能となる。
そして、前記ＥＥＰＲＯＭ４０に項目設定情報が格納されている場合には、その設定情報に対応して図４（ｃ）に示すような表示がなされるようになっている（ステップＳ５及びステップＳ６）。一方、何ら設定情報が格納されていない場合には、ステップＳ４と同様の表示（図４（ｂ））がなされるようになっている。
【００５８】
次にコントローラ３０は、全て設定項目について、表示通りの値を設定値として確定する（ステップＳ７）。
（マニュアル設定手順）
次に初期設定が終わった後の、マニュアル設定アダプタ２０によるマニュアル設定に関する動作手順を図５及び図６を参照して説明する。
【００５９】
まず、コントローラ３０はデジタルカメラ１およびマニュアル設定アダプタ２０からの入力検出を開始する。（ステップＳ９）
初めに、コントローラ３０はカメラ１の各種入力インタフェース（十字キー９等）からの入力を検出し（ステップＳ１０）、処理する（ステップＳ１１）。すなわち、撮影設定項目の入力は、カメラ１側に設けられた入力インタフェースからも行なうことができる。
【００６０】
次に、コントローラ３０は、画質「Ｑ」に関するダイアル検出及び設定（ステップＳ１２〜Ｓ１６）、シャッタ速度「ＴＶ」に関するダイアル検出及び設定（ステップＳ１７〜Ｓ２１）、露出「ＡＶ」に関するダイアル検出及び設定（ステップＳ２２〜Ｓ２６）、ＩＳＯ感度「ＳＶ」に関するダイアル検出及び設定（ステップＳ２７〜Ｓ３１）、ホワイトバランス「ＷＢ」に関するダイアル検出及び設定（ステッブＳ３２〜Ｓ３６）を連続的に行う。
【００６１】
各設定項目に対する設定手順は全て同じであるから、画質に関する設定手順のみを説明してその他の設定項目の設定については説明を省略する。
まず、Ｑダイアルキー２１の変化がある場合、コントローラ３０はステップＳ１２からステップ１３に移行してＱダイアルキー２１の変化が負回転（ＣＣＷ）か正回転（ＣＷ）かの検知をする（ステップＳ１３）。
【００６２】
次に、Ｑダイアルキー２１の回転方向に応じて、ステップＳ１４若しくはステップＳ１５に移行して、ダイアルキー２１ａ〜２１ｅの入力値を得る。ダイアルキー２１ａ〜２１ｅへの入力値は、回転角度に応じて決定され、一定の回転角度毎に、正回転であれば図７（ａ）に矢印で示す方向（右方向）に沿って設定値を変化させる。（ステップＳ１５）。負回転であれば、矢印と反対方向に沿って設定値を変化させる（ステップＳ１４）。
【００６３】
そして、前記コントローラ３０は、設定値に応じて画像を変化させ、リアルタイムで表示部７に表示させる。そして、その設定値を前記マニュアル設定アダプタ２０のＥＥＰＲＯＭ４０に書き込む（ステップＳ１６）。
【００６４】
図５及び図６に示すように、他の設定項目「ＴＶ」、「ＡＶ」、「ＳＶ」、「ＷＢ」についても同様に設定及び記憶を行なっていく。
以上述べたような構成によれば、以下の効果を得ることができる。
【００６５】
第１に、デジタルカメラ本体に種々の撮影条件設定機能を持たせる必要がないから、初心者であってもデジタルカメラの高機能に惑わされることなく快適に使用することができる。
【００６６】
第２に、一方、マニュアル設定アダプタを取り付けた際には、撮影条件の設定範囲が拡張され、プロフェッショナルの使用にも耐えうるデジタルカメラとすることができる。
【００６７】
第３に、マニュアル設定アダプタに不揮発性のメモリを取り付けたことにより、マニュアル設定アダプタ取り付け後、すぐに好みの撮影条件での撮影が行なえるから、再設定の煩わしさから開放される。また、マニュアル設定アダプタを取り外した後には、初心者用の設定に戻るから、気軽な撮影にもすぐ対応できる。
【００６８】
第４に、マニュアル設定アダプタを取り付けたマニュアルモードでの撮影において、アダプタに取り付けたマニュアル設定ダイアルキーからのマニュアル設定が可能であるから、メニュー選択の煩わしさもなく、機敏性も向上する。
【００６９】
なお、この発明は、上記一実施形態に限定されるものではなく、その要旨を変更しない範囲で種々変形可能である。
例えば、前記一実施形態では、電子カメラに種々の設定キーを設けていたが、これらを全て設けないようにしても良い。
【００７０】
【発明の効果】
以上のべたように、コスト的に問題の少ない方法で、用途をはっきり分けた使用のできる電子的撮像装置を実現できる。
【図面の簡単な説明】
【図１】本発明に係る電子的撮像装置の外観を示す斜視図。
【図２】図１の電子的撮像装置の回路構成を示すブロック図
【図３】実施形態の動作を説明するためのフローチャート。
【図４】実施形態の図１中の表示部７に表示される画面の表示例及び前記表示例と図１中のマニュアル設定用ダイアルキー２１ａ〜２１ｅとの対応例を示す図。
【図５】実施形態の動作を説明するためのフローチャート。
【図６】実施形態の動作を説明するためのフローチャート。
【図７】実施形態の図１中のマニュアル設定用ダイアルキー２１ａ〜２１ｅで設定可能な値及び前記ダイアルキー２１ａ〜２１ｅの回転と設定値変化との対応例を示す図。
【符号の説明】
２…カメラ本体（電子的撮像装置本体）
７…表示部（表示画面）
８…メニューキー
９…十字キー
１０…確定キー
１４…メモリカード挿入部
１６…コントロールパネル
１７…各種スイッチ
１８…パワースイッチ
２０…マニュアル設定アダプタ
２１ａ〜２１ｅ…マニュアル設定用ダイアルキー（マニュアル設定インタフェース）
２２…増設メモリカード挿入部
２３…電池挿入口
３０…コントローラ
３６…アダプタ接続判断部
３８…シリアルインタフェース（増設記憶媒体用インタフェース）
３９…メモリカード書き込み読み出し装置
４０…ＥＥＰＲＯＭ（不揮発性記憶部）
５０…設定可能項目制御部（設定可能条件設定部）
５１…設定情報送受信部
５２…マニュアル設定アダプタ制御部
【図１】
0004142168.tif 000002
【図２】
0004142168.tif 000003
【図３】
0004142168.tif 000004
【図４】
0004142168.tif 000005
【図５】
0004142168.tif 000006
【図６】
0004142168.tif 000007
【図７】
0004142168.tif 000008